(57)【要約】【課題】浴槽および排水部の組立作業を容易に行うことができる浴室ユニットの施工方法を提供する。【解決手段】浴室ユニットは、浴槽１０に湯を溜め、浴槽１０に連結された排水部３によって浴槽１０から湯を排出可能としてある。浴室ユニットの施工方法は、浴槽１０を支持する架台８１を設置する第１工程と、排水部３の下流側端部を建築側排水口９２に連結し、排水部３を架台８１の内側に配設する第２工程と、排水部３の上方に位置するように浴槽１０を架台８１に載置する第３工程と、排水部３の上流側端部を浴槽１０に設けられた排水口１０ｃに連結する第４工程とを備える。【選択図】図５
2018115510.tif 000002
【特許請求の範囲】
【請求項１】
浴槽に湯を溜め、前記浴槽に連結された排水部によって前記浴槽から湯を排出可能としてある浴室ユニットの施工方法において、
前記浴槽を支持する架台を設置する第１工程と、
前記排水部の下流側端部を建築側排水口に連結し、前記排水部を前記架台の内側に配設する第２工程と、
前記排水部の上方に位置するように前記浴槽を前記架台に載置する第３工程と、
前記排水部の上流側端部を前記浴槽に設けられた排水口に連結する第４工程と、
を備えることを特徴とする浴室ユニットの施工方法。
【請求項２】
湯を溜める浴槽の下方側が浴槽パンによって覆われており、前記浴槽に連結された排水部によって前記浴槽から湯を排出可能としてある浴室ユニットの施工方法において、
前記浴槽を支持する架台を設置する第１工程と、
外部排水管を建築側排水口に連結し、前記外部排水管を前記架台の内側に配設する第２工程と、
前記外部排水管の上方に位置するように前記浴槽パンを前記架台に載置する第３工程と、
前記排水部の下流側端部を前記外部排水管に連結し、前記排水部を前記浴槽パンの内側に配設する第４工程と、
前記排水部の上方に位置するように前記浴槽を前記架台に載置する第５工程と、
前記排水部の上流側端部を前記浴槽に設けられた排水口に連結する第６工程と、
を備えることを特徴とする浴室ユニットの施工方法。
【請求項３】
前記下流側端部と前記上流側端部との間にトラップ部が組み込まれていることを特徴とする請求項１または２に記載の浴室ユニットの施工方法。
【発明の詳細な説明】
【技術分野】
【０００１】
本発明は、浴室ユニットの施工方法に関する。
【背景技術】
【０００２】
近年では、専らシャワー装置から吐出される湯水を浴び、浴槽に溜めた湯に浸かることなく入浴を行う生活様式が見られるようになってきた。このような生活様式に合わせて、シャワー装置から吐出された湯水を受ける防水パンと、該防水パンを囲繞するように配設された壁部とを備えるコンパクトな浴室ユニットが考案されている。
【０００３】
例えば、特許文献１には、入浴可能な深さに湯を溜めることができる深型の防水パンを有し、防水パンの周縁部に配設された壁部もしくは天井部にシャワー装置を設けた浴室ユニットが開示されている。防水パンは、内部に湯を落とし込むための給湯手段を有しており、湯を溜めるための浴槽として機能する。防水パンには、給湯手段のほか、排水栓およびオーバーフロー用排水口が設けられている。
【先行技術文献】
【特許文献】
【０００４】
【特許文献１】実開平０３−０２９０８８号公報
【発明の概要】
【発明が解決しようとする課題】
【０００５】
特許文献１に記載の浴室ユニットは、排水栓およびオーバーフロー用排水口からの排水を建築側排水口へ流す排水部を防水パン下に設ける必要がある。特許文献１には排水栓が設けられているだけであり、それ以外の排水部に関する記述が見られないものの、防水パン下の狭い空間で排水部を防水パンや建築側排水口へ連結させる組立作業は、施工方法に拠っては困難となり、手間がかかってしまうという問題点があった。
【０００６】
本発明は、斯かる事情に鑑みてなされたものであり、その目的とするところは、浴槽および排水部の組立作業を容易に行うことができる浴室ユニットの施工方法を提供することにある。
【課題を解決するための手段】
【０００７】
本発明に係る浴室ユニットの施工方法は、浴槽に湯を溜め、前記浴槽に連結された排水部によって前記浴槽から湯を排出可能としてある浴室ユニットの施工方法において、前記浴槽を支持する架台を設置する第１工程と、前記排水部の下流側端部を建築側排水口に連結し、前記排水部を前記架台の内側に配設する第２工程と、前記排水部の上方に位置するように前記浴槽を前記架台に載置する第３工程と、前記排水部の上流側端部を前記浴槽に設けられた排水口に連結する第４工程と、を備えることを特徴とする。
【０００８】
本発明にあっては、浴室ユニットは浴槽に湯を溜め、浴槽に連結された排水部によって浴槽から湯を排出可能としてある。浴室ユニットの施工方法は、第１工程により、浴槽を支持する架台を設置し、第２工程により、排水部の下流側端部を建築側排水口に連結し、排水部を架台の内側に配設する。浴室ユニットの施工方法は、第３工程により、排水部の上方に位置するように浴槽を架台に載置し、第４工程により、排水部の上流側端部を浴槽に設けられた排水口に連結する。これにより、浴室ユニットの施工方法は、浴槽および排水部の組立作業を容易に行うことができる。
【発明の効果】
【０００９】
本発明によれば、浴室ユニットの施工方法は、浴槽および排水部の組立作業を容易に行うことができる。
【図面の簡単な説明】
【００１０】
【図１】本発明の実施形態１に係る浴室ユニットの外観を示す斜視図である。
【図２】本発明の実施形態１に係る浴室ユニット内の外観を示す斜視図である。
【図３】シャワー装置の正面図である。
【図４】図４（ａ）および（ｂ）は本発明の実施形態１に係る浴室ユニットの施工方法における途中工程を示す模式図である。
【図５】図５（ａ）および（ｂ）は本発明の実施形態１に係る浴室ユニットの施工方法における他の途中工程を示す模式図である。
【図６】図６（ａ）および（ｂ）は本発明の実施形態１に係る浴室ユニットの施工方法における他の途中工程を示す模式図である。
【図７】本発明の実施形態２に係る浴室ユニットの浴槽部の分解斜視図である。
【図８】図８（ａ）および（ｂ）は本発明の実施形態２に係る浴室ユニットの施工方法における途中工程を示す模式図である。
【図９】図９（ａ）および（ｂ）は本発明の実施形態２に係る浴室ユニットの施工方法における他の途中工程を示す模式図である。
【図１０】図１０（ａ）および（ｂ）は本発明の実施形態２に係る浴室ユニットの施工方法における他の途中工程を示す模式図である。
【図１１】図１１（ａ）および（ｂ）は本発明の実施形態２に係る浴室ユニットの施工方法における他の途中工程を示す模式図である。
【発明を実施するための形態】
【００１１】
以下、本発明を好適な実施の形態をもとに図１から図１１を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（実施形態１）
図１は本発明の実施形態１に係る浴室ユニット１００の外観を示す斜視図、図２は本発明の実施形態１に係る浴室ユニット１００内の外観を示す斜視図である。浴室ユニット１００は、壁部５１、天井５２、扉６、シャワー装置７、および浴槽部１等を有する。浴室ユニット１００は、図１に示すように壁９０および床９１等により区画された屋内空間において床９１上に設置される。浴槽部１は、湯を溜めることができる浴槽１０の周縁部１０ａに配設された壁部５１によって、周囲が覆われ、上方を天井５２によって覆われている。扉６は、壁部５１の一部に設けられており、開閉可能である。
【００１３】
浴槽部１は、壁部５１および扉６によって外部から遮蔽されている。入浴者は、扉６を開状態にして浴槽１０内に移動し、扉６を閉状態にしてシャワー装置７から吐出される湯を浴び、浴槽１０に溜めた湯に浸かって入浴することができる。尚、浴室ユニット１００は、浴槽部１の側方に洗い場床が設けられておらず、浴槽１０内で入浴が行われるものである。
【００１４】
図３はシャワー装置７の正面図である。シャワー装置７は、吐水横バー７１、縦ガイドバー７２、シャワーヘッド７３を有する。吐水横バー７１は、水平方向を軸方向とする棒状であり、浴槽部１の上方の壁面５１ａに取付けられている。吐水横バー７１は、軸方向の所定長さに亘って、細かな吐水孔を点在させた吐水部７１ａを有する。吐水部７１ａの軸方向の長さは、例えばユーザの肩幅程度とする。吐水部７１ａは、浴槽部１に着座した入浴者の両肩に当たるように湯を浴びせる。吐水横バー７１は軸まわりに回転可能であり、回転させることで吐水部７１ａの角度を上下方向に変えることができる。
【００１５】
縦ガイドバー７２は、上下方向を軸方向とする棒状であり、吐水横バー７１の一端部から上方に延びる。縦ガイドバー７２は、軸方向に摺動可能なスライド部材７２ａを有する。スライド部材７２ａは、水平方向を軸方向とする棒状であり、一端部が縦ガイドバー７２に摺動可能に取り付けられており、任意の高さ位置で保持することができる。スライド部材７２ａの他端部には、シャワーヘッド７３を掛けるフック７２ｂが設けられている。シャワーヘッド７３は、フック７２ｂに着脱可能である。
【００１６】
シャワー装置７は、吐水横バー７１の一端部に設けた切替水量調節つまみ７４ａによって、吐水横バー７１またはシャワーヘッド７３のいずれか一方からの吐水を切り替え、水量を調節することができる。またシャワー装置７は、吐水横バー７１の他端部に設けた温度調節つまみ７４ｂによって、吐出する水の温度を調節することができる。
【００１７】
浴槽１０は、上端開口が平面視矩形の深皿状であり、湯を排水するための排水栓２１、湯を供給するための吐水具２２、水位が上昇したときに湯を排水するためのオーバーフロー栓２３等が取り付けられる。排水栓２１、吐水具２２およびオーバーフロー栓２３は、浴槽部１における給排水のために機能する部品であり、これらの部品を機能部品２と呼ぶこととする。浴槽１０は、排水栓２１、吐水具２２およびオーバーフロー栓２３等の機能部品２が配設される位置に表裏を貫通する貫通孔が形成されており、該貫通孔の縁部に機能部品２が取り付けられ、機能部品２に配管が接続される。
【００１８】
排水栓２１は、浴槽１０の底部１０ｂに設けられており、下水道側へ接続される。吐水具２２は、浴槽１０の周縁部１０ａに設けられており、給水管および給湯装置へ接続される。オーバーフロー栓２３は、浴槽１０の内側面における上部に設けられており、下水道側へ接続される。
【００１９】
次に実施形態１に係る浴室ユニット１００の施工方法について説明する。図４（ａ）および（ｂ）は、本発明の実施形態１に係る浴室ユニット１００の施工方法における途中工程を示す模式図である。浴室ユニット１００の施工方法は、浴槽１０を支持する架台８１を設置する第１工程と、排水部３の下流側端部を建築側排水口９２に連結し、排水部３を架台８１の内側に配設する第２工程とを備える。
【００２０】
図４（ａ）に示すように、第１工程において、床９１上に架台８１を設置する。架台８１は、直方体状のフレーム構造体であり、脚部８１ａを四隅および内側の４か所の計８か所に有する。脚部８１ａは高さ調整機構を有しており、四隅等での脚部８１ａに浮きが生じないように脚部８１ａの高さを調整する。次に第２工程において、建築側排水口９２に排水部３の下流側端部を連結し、排水部３を架台８１の内側に配設する。第１工程および第２工程によって、浴室ユニット１００は、図４（ｂ）に示す状態まで組み立てられる。
【００２１】
排水部３は、排水管部３０、トラップ部３１、オーバーフロー配管３３を備える。排水管部３０の一端部３０ａは、本発明における下流側端部に相当しており、建築側排水口９２に連結される。排水管部３０の他端部はトラップ部３１に連結される。トラップ部３１は、浴槽１０の排水栓２１に連結される受け口３１ａを有し、浴槽１０からの排水を排水管部３０へ流す。トラップ部３１は、内部に水が溜まった状態を保ち、排水経路を排水で封じる。オーバーフロー配管３３は、トラップ部３１に連結されており、一端部３３ａがオーバーフロー栓２３に連結される。トラップ部３１の受け口３１ａは、本発明における上流側端部に相当する。
【００２２】
図５（ａ）および（ｂ）は、本発明の実施形態１に係る浴室ユニット１００の施工方法における他の途中工程を示す模式図である。浴室ユニット１００の施工方法は、第２工程に続いて、排水部３の上方に位置するように浴槽１０を架台８１に載置する第３工程を備える。
【００２３】
図５（ａ）に示すように、第３工程において、浴槽１０を架台８１の上方から下降させて、浴槽１０が排水部３の上方に位置するように架台８１に載置する。排水部３におけるトラップ部３１の受け口３１ａは、浴槽１０の底部１０ｂに設けられた排水口１０ｃに対応する位置に配設される。この第３工程に付随して、架台８１の四隅に支柱８２を立てる。第３工程によって、浴室ユニット１００は、図５（ｂ）に示す状態まで組み立てられる。
【００２４】
図６（ａ）および（ｂ）は、本発明の実施形態１に係る浴室ユニット１００の施工方法における他の途中工程を示す模式図である。浴室ユニット１００の施工方法は、第３工程に続いて、排水部３の上流側端部を浴槽１０の排水口１０ｃに連結する第４工程を備える。
【００２５】
図６（ａ）に示すように、第４工程において、浴槽１０の排水口１０ｃの上方からフランジ１０ｄを下降させ、フランジ１０ｄの外周側部に設けた雄ねじを、トラップ部３１の受け口３１ａの内周側部に設けた雌ねじに螺合させる。排水口１０ｃは、縁部にパッキン等を配設することによって、浴槽１０からの水漏れが生じないように水密に封止する。トラップ部３１は、フランジ１０ｄの取付時に浴槽１０側へ引き上げられ、受け口３１ａが排水口１０ｃに設けたパッキン等に密着し、トラップ部３１からの水漏れが生じないように水密に封止される。第４工程によって、浴室ユニット１００は、図６（ｂ）に示す状態に組み立てられる。尚、排水栓２１は、フランジ１０ｄの上方を覆うように浴槽１０に取り付けられる。
【００２６】
浴室ユニット１００は、第４工程に続いて、吐水具２２、オーバーフロー栓２３、壁部５１、天井５２、扉６、およびシャワー装置７を取り付けることによって組み上がる。
【００２７】
次に実施形態１に係る浴室ユニット１００の施工方法による作用を説明する。浴室ユニット１００の施工方法は、第１工程により架台８１を床９１上に設置し、第２工程により排水部３を架台８１の内側に配設する。作業者は、排水管部３０の一端部３０ａを建築側排水口９２に連結させる作業を、浴槽１０が無い状態で上方から行えるため、作業性が良く容易に連結作業を行うことができる。
【００２８】
浴室ユニット１００の施工方法は、第３工程により浴槽１０を架台８１に載置する。この第３工程によって、浴槽１０は排水部３の上方に位置することになり、浴槽１０の排水口１０ｃと、排水部３におけるトラップ部３１の受け口３１ａとが対応する位置に配設される必要がある。作業者は、浴槽１０の排水口１０ｃからトラップ部３１を目視することによって、排水口１０ｃと受け口３１ａが対応する位置にあるか確認することができる。また、作業者は、浴槽１０の側方からもトラップ部３１および浴槽１０の排水口１０ｃの位置を目視することもできる。尚、浴槽１０は、架台８１への載置の際に水平方向の位置が調整可能であるようにしてもよい。
【００２９】
浴室ユニット１００の施工方法は、第４工程により排水部３におけるトラップ部３１の受け口３１ａを浴槽１０の排水口１０ｃに連結する。作業者は、フランジ１０ｄを排水口１０ｃの上方から受け口３１ａに螺合させることにより、受け口３１ａと排水口１０ｃとの連結作業が行えるので、作業性がよく容易に連結作業を行うことができる。このように浴室ユニット１００の施工方法は、第１工程から第４工程によって浴槽１０および排水部３の組立作業を容易に行うことができる。
【００３０】
次に実施形態１に係る浴室ユニット１００の施工方法の特徴を説明する。
実施形態１に係る浴室ユニット１００は、浴槽１０に湯を溜め、浴槽１０に連結された排水部３によって浴槽１０から湯を排出可能としてある。浴室ユニット１００の施工方法は、第１工程により、浴槽１０を支持する架台８１を設置し、第２工程により、排水部３の下流側端部である排水管部３０の一端部３０ａを建築側排水口９２に連結し、排水部３を架台８１の内側に配設する。浴室ユニット１００の施工方法は、第３工程により排水部３の上方に位置するように浴槽１０を架台８１に載置し、第４工程により排水部３の上流側端部であるトラップ部３１の受け口３１ａを浴槽１０に設けられた排水口１０ｃに連結する。これにより、浴室ユニット１００の施工方法は、浴槽１０および排水部３の組立作業を容易に行うことができる。
【００３１】
また浴室ユニット１００は、トラップ部３１によって、排水部３における下流側端部である排水管部３０の一端部３０ａと、上流側端部であるトラップ部３１の受け口３１ａとの間を部分的に排水によって封じる。これにより、例えば建築側排水口９２の更に下流側等にトラップ部を別途配置する手間がかからず、浴室ユニット１００の施工方法は、浴槽１０および排水部３の組立作業を容易に行うことができる。
【００３２】
（実施形態２）
図７は本発明の実施形態２に係る浴室ユニット１００の浴槽部１の分解斜視図である。浴槽部１は、浴槽１０、浴槽パン１１、排水部３、給湯給水配管４を備える。浴槽１０は、上述のように排水栓２１、吐水具２２およびオーバーフロー栓２３等の機能部品２が取り付けられている。
【００３３】
浴槽パン１１は、上端が開口した矩形の箱状であり、浴槽１０の下方および側方を覆う。浴槽パン１１の上端部１１ａは、浴槽１０の周縁部１０ａに接続される。浴槽パン１１の上端部１１ａと、浴槽１０の周縁部１０ａとは水密に接続されていてもよい。浴槽パン１１は、底部１１ｂの内側に排水部３が配設されており、底部１１ｂより一段高い段部１１ｃが設けられており、段部１１ｃの下方の外部に後述する外部排水管３５が配設されている。
【００３４】
排水部３は、排水管部３０、トラップ部３１、パン内排水管３２、およびオーバーフロー配管３３を有する。排水管部３０は、一端部３０ａが外部排水管３５に連結されており、他端部がトラップ部３１に連結される。トラップ部３１は、浴槽１０の排水栓２１から排出された水を排水管部３０へ流す。尚、排水管部３０およびトラップ部３１は、一体的に形成されていてもよいし、別体として形成されていてもよい。
【００３５】
トラップ部３１には、パン内排水管３２およびオーバーフロー配管３３が連結されている。パン内排水管３２は、一端部がトラップ部３１に連結され、他端部に逆止弁３２ａを有する。逆止弁３２ａは、浴槽パン１１内部に溜まった水がパン内排水管３２へ流入することを許容するが、パン内排水管３２の中から浴槽パン１１内部への水の流出を遮断する。尚、オーバーフロー配管３３は、実施形態１と同様であり、記載の簡潔化のため説明を省略する。
【００３６】
給湯給水配管４は、２本が設けられており、一方が給湯用、他方が給水用であり、一端部が吐水具２２に連結され、浴槽パン１１を内外に貫通する貫通孔に設けた取付部４１を通して浴槽パン１１外部に引き出され、他端部が図示しない給湯装置に接続される。吐水具２２から浴槽１０へ供給される湯は、吐水具２２のハンドル部の操作による湯および水の開度に従って温度が設定される。給湯給水配管４から吐水具２２へ供給される湯の温度や水量は、該給湯装置によって制御されており、適宜、入浴者が設定可能であるものとする。
【００３７】
浴槽１０は、排水栓２１、吐水具２２およびオーバーフロー栓２３等の機能部品２が配設される位置において内外に貫通する貫通孔が設けられている。貫通孔は、パッキン等により、浴槽１０から水漏れが生じないように水密に封止されている。それらの貫通孔において、経年劣化等の要因でパッキン等による封止性能が低下して浴槽１０からの漏水が生じても、浴槽１０の下方および側方を覆うように設けた浴槽パン１１で水を受け止めるため、床９１への水の流出を防止することができる。また、排水部３が浴槽パン１１の内部に設けられているため、排水部３からの漏水が生じても、浴槽パン１１で水を受け止め、床９１への水の流出を防止することができる。
【００３８】
次に実施形態２に係る浴室ユニット１００の施工方法について説明する。図８（ａ）および（ｂ）は、本発明の実施形態２に係る浴室ユニット１００の施工方法における途中工程を示す模式図である。浴室ユニット１００の施工方法は、浴槽１０を支持する架台８１を設置する第１工程と、外部排水管３５を建築側排水口９２に連結し、外部排水管３５を架台８１の内側に配設する第２工程とを備える。尚、浴室ユニット１００の施工方法において、記載の簡潔のため、給湯給水配管４の取付および連結作業については記載を省略する。
【００３９】
図８（ａ）に示すように、第１工程において、床９１上に架台８１を設置する。架台８１は、直方体状のフレーム構造体であり、脚部８１ａを四隅および内側の４か所の計８か所に有する。脚部８１ａは高さ調整機構を有しており、四隅等での脚部８１ａに浮きが生じないように脚部８１ａの高さを調整する。次に第２工程において、建築側排水口９２に外部排水管３５を連結し、外部排水管３５を架台８１の内側に配設する。第１工程および第２工程によって、浴室ユニット１００は、図８（ｂ）に示す状態まで組み立てられる。
【００４０】
図９（ａ）および（ｂ）は、本発明の実施形態２に係る浴室ユニット１００の施工方法における他の途中工程を示す模式図である。浴室ユニット１００の施工方法は、第２工程に続いて、外部排水管３５の上方に位置するように浴槽パン１１を架台８１に載置する第３工程と、排水部３の下流側端部を外部排水管３５に連結し、排水部３を浴槽パン１１の内側に配設する第４工程とを備える。
【００４１】
図９（ａ）に示すように、第３工程において、浴槽パン１１を架台８１の上方から下降させて、浴槽パン１１が外部排水管３５の上方に位置するように架台８１に載置する。続いて第４工程において、排水部３の下流側端部を外部排水管３５に連結し、排水部３を浴槽パン１１の内側に配設する。
【００４２】
排水管部３０の一端部３０ａは、本発明における下流側端部に相当しており、外部排水管３５に連結される。排水管部３０の他端部はトラップ部３１に連結される。トラップ部３１の受け口３１ａは、本発明における上流側端部に相当する。トラップ部３１の受け口３１ａは、浴槽１０の排水口１０ｃに対応する位置に配設される。この第３工程および第４工程によって、浴室ユニット１００は、図９（ｂ）に示す状態まで組み立てられる。
【００４３】
図１０（ａ）および（ｂ）は、本発明の実施形態２に係る浴室ユニット１００の施工方法における他の途中工程を示す模式図である。浴室ユニット１００の施工方法は、第４工程に続いて、排水部３の上方に位置するように浴槽１０を架台８１に載置する第５工程を備える。
【００４４】
図１０（ａ）に示すように、第５工程において、浴槽１０を架台８１の上方から下降させて、浴槽１０が排水部３の上方に位置するように架台８１に載置する。このとき、浴槽パン１１の上端部１１ａは、浴槽１０の周縁部１０ａに接続される。浴槽パン１１の上端部１１ａと、浴槽１０の周縁部１０ａとは水密に接続されていてもよい。浴槽１０の下方および側方は、浴槽パン１１によって覆われる。排水部３におけるトラップ部３１の受け口３１ａは、浴槽１０の排水口１０ｃに対応する位置に配設される。この第５工程に付随して、架台８１の四隅に支柱８２を立てる。第５工程によって、浴室ユニット１００は、図１０（ｂ）に示す状態まで組み立てられる。
【００４５】
図１１（ａ）および（ｂ）は、本発明の実施形態２に係る浴室ユニット１００の施工方法における他の途中工程を示す模式図である。浴室ユニット１００の施工方法は、第５工程に続いて、排水部３の上流側端部を浴槽１０に設けられた排水口１０ｃに連結する第６工程を備える。
【００４６】
図１１（ａ）に示すように、第６工程において、浴槽１０の排水口１０ｃの上方からフランジ１０ｄを下降させ、フランジ１０ｄの外周側部に設けた雄ねじを、トラップ部３１の受け口３１ａの内周側部に設けた雌ねじに螺合させる。排水口１０ｃは、縁部にパッキン等を配設することによって、浴槽１０からの水漏れが生じないように水密に封止する。トラップ部３１は、フランジ１０ｄの取付時に浴槽１０側へ引き上げられ、受け口３１ａが排水口１０ｃに設けたパッキン等に密着し、トラップ部３１からの水漏れが生じないように水密に封止される。第６工程によって、浴室ユニット１００は、図１１（ｂ）に示す状態に組み立てられる。尚、排水栓２１は、フランジ１０ｄの上方を覆うように浴槽１０に取り付けられる。
【００４７】
浴室ユニット１００は、第６工程に続いて、吐水具２２、オーバーフロー栓２３、壁部５１、天井５２、扉６、およびシャワー装置７を取り付けることによって組み上がる。
【００４８】
次に実施形態２に係る浴室ユニット１００の施工方法による作用を説明する。浴室ユニット１００の施工方法は、第１工程により架台８１を床９１上に設置し、第２工程により外部排水管３５を架台８１の内側に配設する。作業者は、外部排水管３５を建築側排水口９２に連結させる作業を、浴槽１０および浴槽パン１１が無い状態で上方から行えるため、作業性が良く容易に連結作業を行うことができる。
【００４９】
浴室ユニット１００の施工方法は、第３工程により浴槽パン１１を架台８１に載置し、第４工程により排水部３の下流側端部を外部排水管３５に連結し、排水部３を浴槽パン１１の内側に配設する。排水管部３０の一端部３０ａを外部排水管３５に連結する作業は、浴槽パン１１の上方から目視しつつ、浴槽パン１１の上方および側方から行えるので、作業性が良く容易に連結作業を行うことができる。
【００５０】
浴室ユニット１００の施工方法は、第５工程により浴槽１０を架台８１に載置する。この第５工程によって、浴槽１０は排水部３の上方に位置することになり、浴槽１０の排水口１０ｃと、排水部３におけるトラップ部３１の受け口３１ａとが対応する位置に配設される必要がある。作業者は、浴槽１０の排水口１０ｃからトラップ部３１を目視することによって、排水口１０ｃと受け口３１ａが対応する位置にあるか確認することができる。尚、浴槽１０は、架台８１への載置の際に水平方向の位置が調整可能であるようにしてもよい。
【００５１】
浴室ユニット１００の施工方法は、第６工程により排水部３におけるトラップ部３１の受け口３１ａを浴槽１０の排水口１０ｃに連結する。作業者は、フランジ１０ｄを排水口１０ｃの上方から受け口３１ａに螺合させることにより、受け口３１ａと排水口１０ｃとの連結作業が行えるので、作業性がよく容易に連結作業を行うことができる。このように浴室ユニット１００の施工方法は、第１工程から第６工程によって浴槽１０および排水部３の組立作業を容易に行うことができる。
【００５２】
次に実施形態２に係る浴室ユニット１００の施工方法の特徴を説明する。
実施形態２に係る浴室ユニット１００は、湯を溜める浴槽１０の下方側が浴槽パン１１によって覆われており、浴槽１０に連結された排水部３によって浴槽１０から湯を排出可能としてある。浴室ユニット１００の施工方法は、第１工程により、浴槽１０を支持する架台８１を設置し、第２工程により、外部排水管３５を建築側排水口９２に連結し、外部排水管３５を架台８１の内側に配設する。浴室ユニット１００の施工方法は、第３工程により、外部排水管３５の上方に位置するように浴槽パン１１を架台８１に載置し、第４工程により、排水部３の下流側端部である排水管部３０の一端部３０ａを外部排水管３５に連結し、排水部３を浴槽パン１１の内側に配設する。浴室ユニット１００の施工方法は、第５工程により、排水部３の上方に位置するように浴槽１０を架台８１に載置し、第６工程により、排水部３の上流側端部であるトラップ部３１の受け口３１ａを浴槽１０に設けられた排水口１０ｃに連結する。これにより、浴室ユニット１００の施工方法は、浴槽１０および排水部３の組立作業を容易に行うことができる。
【００５３】
また浴室ユニット１００は、トラップ部３１によって、排水部３における下流側端部である排水管部３０の一端部３０ａと、上流側端部であるトラップ部３１の受け口３１ａとの間を部分的に排水によって封じる。これにより、例えば建築側排水口９２の更に下流側等にトラップ部を別途配置する手間がかからず、浴室ユニット１００の施工方法は、浴槽１０および排水部３の組立作業を容易に行うことができる。
【００５４】
上述の実施形態１および２においては、排水部３にトラップ部３１を設ける構成としているが、排水部３にトラップ部３１を設けず、排水部３の配管経路中に浴槽１０の排水口１０ｃからの排水を受ける受け口を設けるようにしてもよい。この場合、例えば建築側排水口９２の下流側等にトラップ部が設けられていてもよい。
【００５５】
また、浴槽１０は、上端開口の形状を平面視矩形状としているが、各辺部分を曲線状とするものであってもよい。また、浴室ユニット１００に設ける扉６は、引戸や折戸などの扉として開閉できるものであればよい。
【００５６】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５７】
１０  浴槽、  １０ｃ  排水口、  １１  浴槽パン、  ３  排水部、
３０ａ  一端部（下流側端部）、  ３１  トラップ部、
３１ａ  受け口（上流側端部）、  ３５  外部排水管、
８１  架台、  ９２  建築側排水口、  １００  浴室ユニット。
【図１】
2018115510.tif 000003
【図２】
2018115510.tif 000004
【図３】
2018115510.tif 000005
【図４】
2018115510.tif 000006
【図５】
2018115510.tif 000007
【図６】
2018115510.tif 000008
【図７】
2018115510.tif 000009
【図８】
2018115510.tif 000010
【図９】
2018115510.tif 000011
【図１０】
2018115510.tif 000012
【図１１】
2018115510.tif 000013